(57)【要約】【課題】テキスト領域が含まれる原稿画像と、画像領域が含まれる原稿画像とについてそれぞれ別個に異なる印刷設定を簡単に設定可能とする。【解決手段】画像形成装置１０は、複数の原稿画像を順次読み取る画像読取部１１と、記録媒体上に画像を形成する画像形成部１２と、画像読取部１１により読み取られた各原稿画像別に、原稿画像に含まれるテキスト領域及び画像領域を抽出し、該各原稿画像を、原稿画像の頁単位、テキスト領域を含む原稿画像単位、又は画像領域を含む原稿画像単位に分類する分類部５５と、分類部５５により分類された各単位別に印刷設定を受け付ける印刷設定受付部５６と、印刷設定受付部５６により受け付けられた印刷設定に従って、各原稿画像を画像形成部１２に画像形成させる制御部５１と、を備える。【選択図】図４
2019022068.tif 000002
【特許請求の範囲】
【請求項１】
複数の原稿画像を順次読み取る画像読取部と、
記録媒体上に画像を形成する画像形成部と、
前記画像読取部により読み取られた各原稿画像を、原稿画像に含まれるテキスト領域及び画像領域を抽出し、該各原稿画像を、テキスト領域のみを含む原稿画像単位と、画像領域のみを含む原稿画像単位と、テキスト領域及び画像領域の両方を含む原稿画像単位とに分類する分類部と、
前記分類部により分類された各単位別に印刷設定を受け付ける印刷設定受付部と、
前記印刷設定受付部により受け付けられた印刷設定に従って、前記各原稿画像を前記画像形成部に画像形成させる制御部と、を備える画像形成装置。
【請求項２】
前記分類部は、前記画像読取部により読み取られた各原稿画像を、更に、頁単位にも分類する請求項１に記載の画像形成装置。
【請求項３】
前記印刷設定受付部は、前記頁単位についての印刷設定と、前記テキスト領域のみを含む原稿画像単位、画像領域のみを含む原稿画像単位、又は、テキスト領域及び画像領域の両方を含む原稿画像単位のいずれかについての印刷設定とを選択的に受け付ける請求項２に記載の画像形成装置。
【請求項４】
前記分類は、前記印刷設定受付部に、頁単位、テキスト領域のみを含む原稿画像単位、画像領域のみを含む原稿画像単位、テキスト領域及び画像領域の両方を含む原稿画像単位、又は、これら全ての単位、のいずれかの指定が受け付けられたとき、前記画像読取部により読み取られた各原稿画像を、当該指定が受け付けられた単位のみに分類する請求項２又は請求項３に記載の画像形成装置。
【請求項５】
表示部を更に備え、
前記制御部は、前記分類部により分類された前記各単位を示すリストを前記表示部に表示させ、
前記印刷設定受付部は、前記リストにより示される前記各単位のいずれかが指定されたとき、この指定された単位に属する全ての原稿画像に対する印刷設定を受け付ける請求項１乃至請求項４のいずれかに記載の画像形成装置。
【請求項６】
前記制御部は、前記印刷設定受付部に受け付けられた印刷設定が適用された原稿画像を前記表示部にプレビューさせる請求項１乃至請求項５のいずれかに記載の画像形成装置。
【発明の詳細な説明】
【技術分野】
【０００１】
本発明は、原稿画像を読取って記録紙に画像形成する画像形成装置に関し、特に、ユーザーによる原稿画像の印刷設定を補助する技術に関する。
【背景技術】
【０００２】
周知のように画像形成装置では、複数の原稿を画像読取部により順次読取って、この読取られた各原稿画像を画像形成部により記録紙に逐次記録する。また、原稿画像の濃度、シャープネス、解像度、あるいは記録紙の片面印刷又は両面印刷などの印刷設定を適宜選択して印刷が行われる（特許文献１を参照）。
【先行技術文献】
【特許文献】
【０００３】
【特許文献１】米国第２００６／０２２１３５８号公開公報
【発明の概要】
【発明が解決しようとする課題】
【０００４】
しかしながら、従来の画像形成装置では、印刷対称となる全ての原稿画像について同一の印刷設定のみが可能である。このため、テキスト領域や画像領域が含まれる各原稿画像別に異なる印刷設定としたい場合は、ユーザーが、複数の原稿をテキスト領域又は画像領域のいずれを含むかに応じて分類し、分類した原稿毎に別々に、印刷設定、読み取り、及び画像形成（印刷）を繰り返す必要があり、作業が煩雑であった。
【０００５】
本発明は、上記の事情に鑑みなされたものであり、テキスト領域が含まれる原稿画像と、画像領域が含まれる原稿画像とについて、それぞれ別個に異なる印刷設定を簡単に設定可能とすることを目的とする。
【課題を解決するための手段】
【０００６】
本発明の一局面に係る画像形成装置は、複数の原稿画像を順次読み取る画像読取部と、記録媒体上に画像を形成する画像形成部と、前記画像読取部により読み取られた各原稿画像を、原稿画像に含まれるテキスト領域及び画像領域を抽出し、該各原稿画像を、テキスト領域のみを含む原稿画像単位と、画像領域のみを含む原稿画像単位と、テキスト領域及び画像領域の両方を含む原稿画像単位とに分類する分類部と、前記分類部により分類された各単位別に印刷設定を受け付ける印刷設定受付部と、前記印刷設定受付部により受け付けられた印刷設定に従って、前記各原稿画像を前記画像形成部に画像形成させる制御部と、を備えるものである。
【発明の効果】
【０００７】
本発明によれば、テキスト領域が含まれる原稿画像と、画像領域が含まれる原稿画像とについて、それぞれ別個に異なる印刷設定を簡単に設定することができる。
【図面の簡単な説明】
【０００８】
【図１】本発明の一実施形態かかる画像形成装置を示す断面図である。
【図２】本実施形態の画像形成装置における画像読取装置を示す断面図であり、原稿搬送部が閉じられた状態を示している。
【図３】画像読取装置の外観を示す斜視図であり、原稿搬送部が開かれた状態を示している。
【図４】本実施形態の画像形成装置の主要構成を示す機能ブロック図である。
【図５Ａ】複数の原稿画像に対して印刷設定を行う処理を示すフローチャートである。
【図５Ｂ】図５Ａに続く処理を示すフローチャートである。
【図６】本実施形態の画像形成装置における表示部に表示された初期画面を示す図である。
【図７】表示部に表示されたコピー設定画面を示す図である。
【図８】表示部に表示される分類指定画面を示す図である。
【図９】表示部に表示されるコピー設定画面のリスト表示欄の一例を示す図である。
【図１０】リスト表示欄の他の例を示す図である。
【図１１】リスト表示欄の他の例を示す図である。
【図１２】リスト表示欄の他の例を示す図である。
【図１３】リスト表示欄の他の例を示す図である。
【図１４】コピー設定画面のリスト表示欄にポップアップ画面が表示された状態の一例を示す図である。
【発明を実施するための形態】
【０００９】
以下、本発明の実施形態について図面を参照して説明する。
【００１０】
図１は、本発明にかかる一実施形態の画像形成装置を示す断面図である。この画像形成装置１０は、例えば、コピー機能、プリンター機能、スキャナー機能、及びファクシミリ機能のような複数の機能を兼ね備えたＭＦＰ（複合機）である。この画像形成装置１０は、画像読取部１１と、画像形成部１２とを備えている。
【００１１】
画像読取部１１は、原稿画像を光学的に読み取る撮像素子を有しており、この撮像素子のアナログ出力がデジタル信号に変換されて、原稿画像を示す画像データが生成される。
【００１２】
画像形成部１２は、上記画像データ又は外部から受信した画像データによって示される画像を記録紙に印刷するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を、中間転写ベルト５に転写する。これにより、カラーのトナー像（画像）が中間転写ベルト５上に形成される。このカラーのトナー像は、中間転写ベルト５と２次転写ローラー６の間のニップ域Ｎにおいて給紙部１４から搬送路８を通じて搬送されてきた記録紙Ｐに２次転写される。
【００１３】
この後、定着装置１５で記録紙Ｐが加熱及び加圧されて、記録紙Ｐ上のトナー像が熱圧着により定着され、更に記録紙Ｐが排出ローラー対１６を通じて排出トレイ１７に排出される。
【００１４】
次に、画像読取部１１の概略構成を説明する。図２は、画像読取部１１の機械構成を示す断面図である。また、図３は、画像読取部１１の外観を示す斜視図であり、原稿搬送部２０が開かれた状態を示している。
【００１５】
図２及び図３に示すように、画像読取部１１は、原稿搬送部２０及び読取部３０を備えている。原稿搬送部２０は、原稿トレイ２２、ピックアップローラー２５、搬送ローラー２６、排紙ローラー２７、及び原稿排出トレイ２８等を備えている。また、読取部３０は、第１プラテンガラス３１、第２プラテンガラス３２、キャリッジ３４、光学系ユニット３５、集光レンズ３６、及びＣＣＤセンサー（撮像素子）３７等を備えている。
【００１６】
ここで、読取部３０の上面３０ａの一端部には、２つのヒンジ３８が離間して設けられており、これらのヒンジ３８により原稿搬送部２０が開閉可能に支持されて、利用者による原稿搬送部２０の開閉操作が可能にされている。
【００１７】
原稿搬送部２０が開かれたときには、読取部３０の第１プラテンガラス３１及び第２プラテンガラス３２が開放されて、読取部３０の第２プラテンガラス３２上に原稿を載置することができ、更に原稿搬送部２０が閉じられると、原稿搬送部２０により第２プラテンガラス３２上に載置された原稿ＭＳが押さえられる。読取部３０では、キャリッジ３４及び光学系ユニット３５を所定の速度関係を維持して副走査方向Ｘに移動させつつ、キャリッジ３４の光源３４Ａの光を、第２プラテンガラス３２を介して原稿ＭＳに照射し、原稿ＭＳで反射された光をキャリッジ３４のミラー３４Ｂで反射する。更に、この光は、光学系ユニット３５のミラー３５Ａ及びミラー３５Ｂで反射されて、集光レンズ３６を通じてＣＣＤセンサー３７に入射する。ＣＣＤセンサー３７は、原稿ＭＳの画像を主走査方向Ｙ（副走査方向Ｘと直交する方向）に繰り返し読取る。
【００１８】
また、原稿搬送部２０が閉じられた状態では、原稿搬送部２０により原稿トレイ２２に載置された原稿ＭＳが１枚ずつ引出されて、第１プラテンガラス３１上を通じて副走査方向に搬送される。読取部３０では、キャリッジ３４及び光学系ユニット３５をそれぞれの所定位置に位置決めし、キャリッジ３４の光源３４Ａの光を、第１プラテンガラス３１を介して原稿ＭＳに照射し、原稿ＭＳで反射された光を各ミラー３４Ｂ、３５Ａ、３５Ｂで反射させて、集光レンズ３６を通じてＣＣＤセンサー３７に入射させ、ＣＣＤセンサー３７により原稿ＭＳの画像を主走査方向Ｙに繰り返し読取らせる。
【００１９】
次に、画像形成装置１０の制御に係る構成について説明する。図４は、画像形成装置１０の主要内部構成を示す機能ブロック図である。図４に示すように画像形成装置１０は、制御ユニット５０、表示部４２、操作部４４、タッチパネル４５、記憶部４８、画像メモリー４９、画像読取部１１、及び画像形成部１２などを備えている。これらの構成要素は、互いにバスを通じてデータ又は信号の送受信を可能とされている。
【００２０】
表示部４２は、液晶ディスプレイ（ＬＣＤ：Liquid Crystal Display）や有機ＥＬ（ＯＬＥＤ：Organic Light-Emitting Diode）ディスプレイなどから構成される。
【００２１】
表示部４２の画面には、タッチパネル４５が重ねられている。タッチパネル４５は、所謂抵抗膜方式や静電容量方式などのタッチパネルであって、タッチパネル４５に対するユーザーの指などの接触（タッチ）をその接触位置と共に検知し、表示部４２の画面上のＧＵＩなどに対するユーザーの指示の入力を受け付ける。従って、タッチパネル４５は、表示部４２の画面に対するユーザー操作が入力される操作部としての役割も果たす。
【００２２】
操作部４４は、例えば、印刷ジョブ等の実行を指示するためのスタートキー、操作画面を構成するＧＵＩ（Graphical User Interface）に対して確定操作を行う決定キー（エンターキー）、数値入力を行うための数値入力キー等を備え、例えば表示部４２に表示される画面に対する操作をユーザーから受け付ける。
【００２３】
記憶部４８は、ＲＡＭ、大容量のＨＤＤ（Hard Disk Drive）などからなり、各種のデータやプログラムを記憶している。
【００２４】
画像メモリー４９は、画像読取部１１により読取られた原稿画像を示す画像データ、外部から受信した画像データを一時的に記憶する。
【００２５】
制御ユニット５０は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。この制御ユニット５０は、上記のＲＯＭまたは記憶部４８に記憶されたプログラムが上記のプロセッサーで実行されることにより、制御部５１、画像処理部５４、分類部５５、及び印刷設定受付部５６として機能する。なお、制御ユニット５０の上記の制御部５１、画像処理部５４、分類部５５、及び印刷設定受付部５６は、プログラムに基づく動作によらず、それぞれハード回路により構成されてもよい。
【００２６】
制御部５１は、画像形成装置１０の全体的な動作制御を司る。制御部５１は、表示部４２を制御して、上記のＧＵＩ、あるいは各種の情報などを表示させる。
【００２７】
画像処理部５４は、画像メモリー４９内の画像データに対して、シェーディング補正、ガンマ補正、色収差補正などの様々な画像処理を施す。
【００２８】
分類部５５は、画像読取部１１により読み取られた各原稿画像を、原稿画像に含まれるテキスト領域及び画像領域を抽出し、該各原稿画像を、テキスト領域のみを含む原稿画像単位と、画像領域のみを含む原稿画像単位と、テキスト領域及び画像領域の両方を含む原稿画像単位とに分類する。
【００２９】
印刷設定受付部５６は、ユーザーによる操作部４４又はタッチパネル４５の操作に基づいて、分類部５５により分類された各単位別に印刷設定を受け付ける。
【００３０】
このような構成の画像形成装置１０では、画像読取部１１が原稿画像を読取り、この原稿画像を示す画像データが画像メモリー４９に記憶される。そして、画像処理部５４が画像メモリー４９に記憶されている原稿画像に対して画像処理を施し、画像形成部１２がその原稿画像を記録紙に記録する。制御部５１は、印刷設定受付部５６により受け付けられた印刷設定に従って、各原稿画像を画像形成部１２により記録紙上に画像形成させる。
【００３１】
次に、そのように複数の原稿画像に対して、テキスト領域が含まれる原稿画像と、画像領域が含まれる原稿画像とについてそれぞれ別個に印刷設定を行うための処理を、図５Ａ乃至図９を参照して説明する。
【００３２】
まず、制御部５１は、画像形成装置１０の表示部４２に、初期画面として、図６に示すようにそれぞれの機能に対応付けられた複数のキー６１ａ〜６１ｈ等を表示させる。このとき、ユーザーが、コピー機能に対応するキー６１ａをタッチ操作すると、制御部５１は、タッチパネル４５を通じて、キー６１ａに対応する指示を受け付け、図７に示すようなコピー設定画面Ｇ１を、表示部４２に表示させる（Ｓ１０１）。
【００３３】
制御部５１は、このコピー設定画面Ｇ１に、プレビュー表示欄７１、リスト表示欄７２、プレビューキー７３、リストキー７４、両面印刷キー７５、コントラストキー７６、濃度キー７７、シャープネスキー７８、解像度キー７９を表示させる。このコピー設定画面Ｇ１は、複数の原稿画像に対して、テキスト領域が含まれる原稿画像と、画像領域が含まれる原稿画像と、テキスト領域お詫び画像領域の両方が含まれる原稿画像とについて、それぞれ別個に印刷内容を設定する（このような印刷設定を、以下では単位別印刷設定という）ときに用いられる画面である。
【００３４】
このコピー設定画面Ｇ１が表示されている状態で、制御部５１は、コピー設定画面Ｇ１のリストキー７４がタッチ操作されるか、又は操作部４４のスタートキーが操作されるのを待機している（Ｓ１０２でＮＯ、Ｓ１０３でＮＯ）。
【００３５】
ここで、ユーザーは、上記単位別印刷設定を必要とせず、通常のコピーを行う場合、画像読取部１１の原稿搬送部２０の原稿トレイ２２に少なくとも１枚の原稿をセットするか、あるいは画像読取部１１の第２プラテンガラス３２上に原稿を載置してから、操作部４４のスタートキーを操作する。このスタートキーの操作により、タッチパネル４５を介して、制御部５１に、通常のコピーモードに設定する指示が受け付けられる。
【００３６】
制御部５１は、通常のコピーモードに設定する指示を受け付けると（Ｓ１０２でＮＯ，Ｓ１０３でＹＥＳ）、画像形成装置１０の動作モードを通常のコピーモードに設定する（Ｓ１０４）。制御部５１は、原稿搬送部２０により原稿トレイ２２上の原稿を搬送させて、画像読取部１１による第１プラテンガラス３１を通じての原稿画像の読み取りを行わせるか、又は画像読取部１１による第２プラテンガラス３２上の原稿画像の読み取りを行わせて、原稿画像を示す画像データを画像メモリー４９に記憶させる。更に、画像処理部５４が画像メモリー４９内の画像データに対して画像処理を施す。制御部５１は、画像形成部１２に、該画像データによって示される原稿画像を記録紙に画像形成（印刷）させる。この通常のコピーモードでは、制御部５１は、画像読取部１１による読取で得られた原稿画像の全てに対して同一の印刷設定（例えばデフォルトの印刷設定）を用いて、画像形成部１２に画像形成を行わせる。
【００３７】
一方、ユーザーは、上記単位別印刷設定を行う場合、コピー設定画面Ｇ１のリストキー７４を操作する。このリストキー７４の操作により、タッチパネルを介して、制御部５１に、上記単位別印刷設定を行うモードである単位別コピーモードを設定する指示が受け付けられる。このとき、ユーザーは、画像読取部１１の原稿搬送部２０の原稿トレイ２２に少なくとも１枚の原稿をセットするか、あるいは画像読取部１１の第２プラテンガラス３２上に原稿を載置しておく。
【００３８】
制御部５１は、単位別コピーモードを設定する指示を受け付けたとき（Ｓ１０２でＹＥＳ）、単位別コピーモードを設定する（Ｓ１０６）。この単位別コピーモード時には、制御部５１は、画像読取部１１に原稿を読み取らせると共に、上記単位別印刷設定の示す内容で上記各単位別に印刷内容を設定して、画像形成部１２に画像形成を行わせる。制御部５１は、画像形成装置１０の動作モードを単位別コピーモードに設定した後は、当該単位別コピーモードでの動作として、原稿搬送部２０により原稿トレイ２２上の原稿を搬送させて、画像読取部１１による第１プラテンガラス３１を通じての原稿画像の読み取りを行わせるか（Ｓ１０７）、又は画像読取部１１による第２プラテンガラス３２上の原稿画像の読み取りを行わせて（Ｓ１０７）、当該読取により得られた原稿画像を画像メモリー４９に記憶させる。
【００３９】
上記のようにして原稿画像が画像メモリー４９に記憶されると、分類部５５は、画像メモリー４９内の各原稿画像に対して周知の光学的文字認識処理（Ｏｐｔｉｃａｌ Ｃｈａｒａｃｔｅｒ Ｒｅａｄｅｒ）又はレイアウト解析処理などを施して、原稿画像に含まれるテキスト領域及び画像領域を抽出し、各原稿画像が、テキスト領域のみを含む原稿画像、画像領域のみを含む原稿画像、テキスト領域及び画像領域の両方を含む原稿画像のいずれであるかを判定する（Ｓ１０８）。
【００４０】
例えば、原稿搬送部２０の原稿トレイ２２に少なくとも１枚の原稿がセットされる場合、原稿搬送部２０により原稿トレイ２２上の全ての原稿が１枚ずつ搬送され、その度に、読取部３０により原稿画像が読取られて、当該原稿画像が画像メモリー４９に記憶される。分類部５５は、原稿画像が画像メモリー４９に記憶される度に、その原稿画像に対してＯＣＲ又はレイアウト解析処理を施して、原稿画像が、テキスト領域のみを含む原稿画像、画像領域のみを含む原稿画像、テキスト領域及び画像領域の両方を含む原稿画像のいずれであるかを判定する（Ｓ１０８）。
【００４１】
また、例えば、画像読取部１１の第２プラテンガラス３２上に原稿が載置された場合は、読取部３０により原稿画像が読取られて、原稿画像が画像メモリー４９に記憶される。そして、ユーザーが、次の原稿を第２プラテンガラス３２上に載置して、操作部４４のスタートキーを操作すると、制御部５１は、画像読取指示を受け付けて、読取部３０により次の原稿画像を読取らせ、次の原稿画像が画像メモリー４９に記憶される。従って、ユーザーは、複数の原稿を第２プラテンガラス３２上に逐次載置し、その度に、操作部４４のスタートキーを操作することで、読取部３０により原稿画像を読取らせる。分類部５５は、原稿画像が画像メモリー４９に記憶される度に、当該原稿画像に対してＯＣＲ又はレイアウト解析処理を施して、原稿画像に含まれるテキスト領域及び画像領域を抽出し、原稿画像が、テキスト領域のみを含む原稿画像、画像領域のみを含む原稿画像、テキスト領域及び画像領域の両方を含む原稿画像のいずれであるかを判定する（Ｓ１０８）。
【００４２】
Ｓ１０８の後、制御部５１は、図８に例を示す分類指定画面Ｇ２を、表示部４２の画面に表示させる（Ｓ１０９）。
【００４３】
この分類指定画面Ｇ２には、頁単位キー８１、テキスト領域単位キー８２、画像領域単位キー８３、テキスト領域／画像領域単位キー８４、及び全単位キー８５が表示される。頁単位キー８１は、読取部３０により読取られた各原稿画像を頁単位で分類する指示を受け付けるためのキーである。また、テキスト領域単位キー８２は、読取部３０により読取られた各原稿画像のうち、テキスト領域のみを含む原稿画像を抽出して分類する指示を受け付けるためのキーである。
【００４４】
また、画像領域単位キー８３は、読取部３０により読取られた各原稿画像のうちの画像領域のみを含む原稿画像を抽出して分類する指示を受け付けるためのキーである。テキスト領域／画像領域単位キー８４は、読取部３０により読取られた各原稿画像のうち、テキスト領域及び画像領域の両方を含む原稿画像を抽出して分類する指示を受け付けるためのキーである。また、全単位キー８５は、上記頁単位と、テキスト領域のみを含む原稿画像単位と、画像領域のみを含む原稿画像単位と、テキスト領域及び画像領域の両方を含む原稿画像単位の全てを抽出する分類を行う指示を受け付けるためのキーである。
【００４５】
ここで、ユーザーが分類指定画面Ｇ２における頁単位キー８１、テキスト領域単位キー８２、画像領域単位キー８３、テキスト領域／画像領域単位キー８４、及び全単位キー８５のいずれかをタッチ操作すると、制御部５１は、タッチパネル４５を通じて、各キー８１〜８５のうちのタッチ操作されたキーに対応する指示が示す分類の指定を受け付ける（Ｓ１１０）。
【００４６】
分類部５５は、当該受け付けた指定に基づいて、画像メモリー４９に記憶されている全ての原稿画像を、つまり読取部３０により読取られた全ての原稿画像を分類する（Ｓ１１１）。制御部５１は、当該分類による示される各単位を示すリストを生成し、当該リストを、コピー設定画面Ｇ１におけるリスト表示欄７２に表示させる（Ｓ１１２）。
【００４７】
例えば、Ｓ１１０において、ユーザーが頁単位キー８１をタッチ操作し、制御部５１が、頁単位で分類する指示を受け付けた場合、制御部５１は、Ｓ１０８での結果に基づいて、画像メモリー４９内の画像データによって示される全ての原稿画像を頁単位で分類し（Ｓ１１１）、各原稿画像を示す画像と、各原稿画像に対応するそれぞれの頁番号とを示すリストＬＳＴ１（図９参照）を作成し、リストＬＳＴ１を表示部４２のコピー設定画面Ｇ１におけるリスト表示欄７２に表示させる（Ｓ１１２）。
【００４８】
また、例えば、Ｓ１１０において、ユーザーがテキスト領域単位キー８２をタッチ操作し、制御部５１が、テキスト領域のみを含む原稿画像を抽出して分類する指示を受け付けた場合、制御部５１は、Ｓ１０８での結果に基づいて、画像メモリー４９に記憶されている全ての原稿画像から、テキスト領域のみを含む原稿画像を抽出し（Ｓ１１１）、当該抽出したテキスト領域のみを含む各原稿画像を示す画像と、各原稿画像に対応するそれぞれの頁番号とを示すリストＬＳＴ２（図１０参照）を作成し、リストＬＳＴ２を、表示部４２のコピー設定画面Ｇ１におけるリスト表示欄７２に表示させる（Ｓ１１２）。
【００４９】
また、例えば、Ｓ１１０において、ユーザーが画像領域単位キー８３をタッチ操作し、制御部５１が、画像領域のみを含む原稿画像を抽出して分類する指示を受け付けた場合、制御部５１は、Ｓ１０８での結果に基づいて、画像メモリー４９に記憶されている全ての原稿画像から、画像領域のみを含む原稿画像を抽出し（Ｓ１１１）、当該抽出した画像領域のみを含む各原稿画像を示す画像と、各原稿画像に対応するそれぞれの頁番号とを示すリストＬＳＴ３（図１１参照）を作成し、リストＬＳＴ３を、表示部４２のコピー設定画面Ｇ１におけるリスト表示欄７２に表示させる（Ｓ１１２）。
【００５０】
また、例えば、Ｓ１１０において、テキスト領域／画像領域単位キー８４をタッチ操作し、制御部５１が、テキスト領域及び画像領域の両方を含む原稿画像を抽出して分類する指示を受け付けた場合、制御部５１は、Ｓ１０８での結果に基づいて、画像メモリー４９に記憶されている全ての原稿画像から、テキスト領域及び画像領域の両方を含む原稿画像を抽出し（Ｓ１１１）、当該抽出したテキスト領域及び画像領域の両方を含む各原稿画像を示す画像と、各原稿画像に対応するそれぞれの頁番号とを示すリストＬＳＴ４（図１２参照）を作成し、リストＬＳＴ４を、表示部４２のコピー設定画面Ｇ１におけるリスト表示欄７２に表示させる（Ｓ１１２）。
【００５１】
また、例えば、ユーザーが全単位キー８５をタッチ操作し、制御部５１が、上記頁単位、テキスト領域のみを含む原稿画像単位、画像領域のみを含む原稿画像単位、及び、テキスト領域と画像領域の両方を含む原稿画像単位の全てを抽出する分類を行う指示を受け付けた場合、制御部５１は、Ｓ１０８での結果に基づいて、画像メモリー４９に記憶されている全ての原稿画像から、上記頁単位、テキスト領域のみを含む原稿画像単位、画像領域のみを含む原稿画像単位、及び、テキスト領域と画像領域の両方を含む原稿画像単位の全てを抽出し、(i)頁単位で分類した各原稿画像を示す画像と、各原稿画像に対応するそれぞれの頁番号、(ii)テキスト領域のみを含む各原稿画像を示す画像と、各原稿画像に対応するそれぞれの頁番号、(iii)画像領域のみを含む各原稿画像を示す画像と、各原稿画像に対応するそれぞれの頁番号、(iv) テキスト領域と画像領域を共に含む各原稿画像を示す画像と、各原稿画像に対応するそれぞれの頁番号、につきこれら全てを示すリストＬＳＴ５（図１３参照）を作成し、リストＬＳＴ５を、表示部４２のコピー設定画面Ｇ１におけるリスト表示欄７２に表示させる（Ｓ１１２）。
【００５２】
例えば、制御部５１が、上記頁単位、テキスト領域のみを含む原稿画像単位、画像領域のみを含む原稿画像単位、及び、テキスト領域と画像領域の両方を含む原稿画像単位の全てを抽出する分類を行う指示を受け付けており、画像読取部１１により２００枚の原稿が読み取られた場合、図１３に示すように、リスト表示欄７２には、全ての原稿画像を示す画像と、当該各原稿画像の頁順として第１頁から第２００頁までを示す画像とからなる「全ての原稿画像１−２００」画像ｉｍ１が表示される。「全ての原稿画像１−２００」画像ｉｍ１には、チェックボックス８６が表示される。
【００５３】
また、画像読取部１１による読取で得られた上記原稿画像２００頁分のうち、第１頁〜第１０頁までと、第４６頁〜第１８０頁までが、テキスト領域のみを含む原稿画像である場合、制御部５１は、当該リスト表示欄７２に、更に、テキスト領域のみを含む各原稿画像を示す画像と、当該各原稿画像の頁順として第１頁から第４０頁までを示す画像とからなる「テキスト領域のみを含む原稿画像１−４０」画像ｉｍ２と、テキスト領域のみを含む各原稿画像を示す画像と、当該各原稿画像の頁順として第４６頁から第１８０頁までを示す画像とからなる「テキスト領域のみを含む原稿画像４６−１８０」画像ｉｍ３を表示させる。画像ｉｍ２，ｉｍ３には、それぞれチェックボックス８７が表示される。
【００５４】
また、画像読取部１１による読取で得られた上記原稿画像２００頁分のうち、第４１頁〜第４５頁までが、画像領域のみを含む原稿画像である場合、制御部５１は、当該リスト表示欄７２に、更に、画像領域のみを含む各原稿画像を示す画像と、当該各原稿画像の頁順を示す画像とからなる、第４１頁を示す「画像領域のみを含む原稿画像４１」ｉｍ４、第４２頁を示す「画像領域のみを含む原稿画像４２」ｉｍ５、第４３頁を示す「画像領域のみを含む原稿画像４３」ｉｍ６、第４４頁を示す「画像領域のみを含む原稿画像４４」ｉｍ７、第４５頁を示す「画像領域のみを含む原稿画像４５」ｉｍ８を表示させる。これら画像ｉｍ４〜ｉｍ８には、それぞれチェックボックス８８が表示される。
【００５５】
また、画像読取部１１による読取で得られた上記原稿画像２００頁分のうち、第１８１頁〜第２００頁までが、テキスト領域及び画像領域を共に含む原稿画像である場合、制御部５１は、当該リスト表示欄７２に、更に、テキスト領域及び画像領域を共に含む各原稿画像を示す画像と、当該各原稿画像の頁順を示す画像とからなる、第１８１頁を示す「テキスト領域及び画像領域を共に含む原稿画像１８１」ｉｍ９〜第１８５頁を示す「テキスト領域及び画像領域を共に含む原稿画像１８５」ｉｍ１３までを表示させる。これら画像ｉｍ９〜ｉｍ１３には、それぞれチェックボックス８９が表示される。なお、当該リスト表示欄７２は、このように第１８１頁〜第１８５頁までを示す画像を表示し、第１８６頁〜第２００頁までを示す各画像は、ユーザーによるスクロールバー９１の操作によりタッチパネルによりスクロール表示指示を制御部５１が受け付けたときに、制御部５１が、第１８６頁〜第２００頁までを示す各画像を順次リスト表示欄７２に表示させる例を示している。
【００５６】
すなわち、スクロールバー９１に対するユーザー操作により、制御部５１がスクロール表示指示を受け付けると、制御部５１は、リスト表示欄７２における全てのリスト項目を上下方向に移動させて表示させる。
【００５７】
また、上記では、制御部５１が、リスト表示欄７２に、全ての原稿画像の頁順及びテキスト領域のみを含む原稿画像の頁順は、全ての頁をまとめて表示させ（画像ｉｍ１，ｉｍ２，ｉｍ３）、また、画像領域のみを含む原稿画像の頁順、テキスト領域及び画像領域を共に含む原稿画像の頁順は、頁別に表示させる例を示している（画像ｉｍ４〜ｉｍ１３）。なお、制御部５１は、全ての分類の画像について、それぞれ全ての頁をまとめて表示させるようにしてもよいし、各分類の画像を頁別に表示させるようにしてもよい。
【００５８】
このように、上記全ての原稿画像及びその頁順を示す画像ｉｍ１と、テキスト領域のみを含む原稿画像及びその頁順を示す画像ｉｍ２，ｉｍ３と、画像領域のみを含む原稿画像及びその頁順を示す画像ｉｍ４〜ｉｍ８と、画像領域及びテキスト領域を共に含む原稿画像及びその頁順を示す画像ｉｍ９〜ｉｍ１３とが、コピー設定画面Ｇ１におけるリスト表示欄７２に表示されている状態のときに、ユーザーは、画像ｉｍ１〜ｉｍ１３のうち、印刷設定をデフォルトの内容から変更したい原稿画像の分類を示す画像に表示されているチェックボックスにタッチ操作すると、タッチパネルを介して、制御部５１は、当該タッチ操作されたチェックボックスに対応する単位に属する全ての原稿画像についての印刷設定を変更する指示を受け付け可能な状態となる。
【００５９】
なお、図９〜図１２に各例の場合も、ユーザーが、印刷設定をデフォルトの内容から変更したい原稿画像の分類を示す画像に表示されているチェックボックスにタッチ操作すると、タッチパネルを介して、制御部５１は、当該タッチ操作されたチェックボックスに対応する単位に属する全ての原稿画像についての印刷設定を変更する指示を受け付け可能な状態となる。
【００６０】
このように、コピー設定画面Ｇ１におけるリスト表示欄７２に上記リストを表示している状況において、制御部５１は、各チェックボックスのいずれかに対するユーザーによるタッチ操作に基づく印刷設定を変更する指示の入力を待機している（Ｓ１１３でＮＯ）。以下には、制御部５１が、図１３に示すリストＬＳＴ５をリスト表示欄７２に表示させている場合を例にして説明する。
【００６１】
ユーザーによる各チェックボックス８６〜８９のいずれかへのタッチ操作に基づいて、制御部５１が、タッチパネル４５を通じて、上記タッチ操作されたいずれかのチェックボックスが示す単位についての印刷設定を変更する指示を受け付け（Ｓ１１３でＹＥＳ）、更に、ユーザーによる両面印刷キー７５、コントラストキー７６、濃度キー７７、シャープネスキー７８、解像度キー７９のいずれかに対するタッチ操作に基づいて、制御部５１が、タッチパネル４５を通じて、内容を変更する印刷項目を指定する指示を受け付けると（Ｓ１１４でＹＥＳ）、制御部５１は、Ｓ１１３において印刷設定を変更する指示を受け付けた単位について、Ｓ１１４で受け付けられた指示が示す印刷項目について設定を受け付けるためのポップアップ画面ＰＵ（図１４参照）を、表示部４２の画面に表示させる（Ｓ１１５）。
【００６２】
そして、ユーザーが、ポップアップ画面ＰＵに対してタッチ操作を行うと、当該タッチ操作により指定された詳細項目の値を、タッチパネルを介しても制御部５１が受け付ける。印刷設定受付部５６は、この変更された印刷項目の値を、Ｓ１１０で指定された単位に属する全ての原稿画像の印刷設定として受け付ける（Ｓ１１６）。
【００６３】
続いて、Ｓ１１６で受け付けられた印刷設定に従って画像処理された原稿画像を画像処理部５４が生成する（Ｓ１１７）。制御部５１は、表示部４２の画面に表示されている上記ポップアップ画面ＰＵを非表示とし、画像処理部５４により生成された当該原稿画像（複数の場合は、例えば最初の頁の原稿画像）をコピー設定画面Ｇ１におけるプレビュー表示欄７１にプレビュー表示させる（Ｓ１１８）。なお、制御部５１は、プレビューキー７３がユーザーによりタッチ操作されてタッチパネルを介してプレビュー指示を受け付けた場合にのみ、Ｓ１１８におけるプレビュー表示を行うようにしてもよい。
【００６４】
例えば、ユーザーが、コピー設定画面Ｇ１のリスト表示欄７２における「全ての原稿画像１−２００」画像ｉｍ１のチェックボックス８６をタッチ操作して、制御部５１に、第１頁〜第２００頁までの全ての原稿画像からなる単位を印刷設定の対象とする指示が受け付けられ、続いて、ユーザーが、濃度キー７７をタッチ操作して、制御部５１に、第１頁〜第２００頁までの全ての原稿画像に対して濃度を設定する指示が受け付けられたとする。
【００６５】
このとき、制御部５１は、第１頁から第２００頁までの全ての原稿画像について、印刷項目「濃度」についてデフォルトの値（標準値）を変更する指示を受け付けるためのポップアップ画面ＰＵを、表示部４２の画面に表示させる（Ｓ１１５）。
【００６６】
そして、ユーザーが、そのポップアップ画面ＰＵに対する操作を行い、印刷設定受付部５６が、タッチパネル４５を介して、ユーザー所望の濃度値の指定を受け付けると（Ｓ１１６）、画像処理部５４は、第１頁から第２００頁までの全ての原稿画像に対して、この時点で設定されている印刷設定（濃度についてはＳ１１６で指定された濃度値を用いる）に従った画像処理を行い、当該印刷設定に基づく処理が行われた各原稿画像を生成する（Ｓ１１７）。制御部５１は、画像処理部５４により生成された当該原稿画像（複数の場合は、例えば最初の頁の原稿画像）をコピー設定画面Ｇ１におけるプレビュー表示欄７１にプレビュー表示させる（Ｓ１１８）。
【００６７】
なお、ユーザーによるリスト表示欄７２の他の各キー７６，７７，７８，７９に対する操作に基づいて、原稿画像のコントラストを変更する指示、原稿画像の濃度を変更する指示、原稿画像のシャープネスを変更する指示、又は原稿画像の解像度を変更する指示を印刷設定受付部５６が受け付けた場合は（Ｓ１１６）、画像処理部５４は、第１頁から第２００頁までの各原稿画像に対して画像処理を行い、Ｓ１１６で受け付けられた内容を含む印刷設定に従った各原稿画像を生成し（Ｓ１１７）、制御部５１は、画像処理部５４により生成された当該原稿画像をコピー設定画面Ｇ１におけるプレビュー表示欄７１にプレビュー表示させる（Ｓ１１８）。
【００６８】
上記に示したＳ１１３〜Ｓ１１８の処理は、各チェックボックス８６〜８９が示す各単位について、或いは、各キー７５，７６，７７，７８，７９が示す各項目について繰り返し行うことで、各チェックボックス８６〜８９が示す各単位に属する原稿画像について、片面印刷又は両面印刷、コントラスト、濃度、シャープネス、及び解像度等の印刷項目をユーザー所望の値に設定可能である。
【００６９】
Ｓ１１３〜Ｓ１１８の処理により原稿画像に対する印刷設定がされた後、ユーザーが操作部４４のスタートキーを操作し、これに基づいて、タッチパネル４５を介して、制御部５１が、画像形成（印刷）開始指示を受け付けると（Ｓ１１９でＹＥＳ）、制御部５１は、画像形成部１２に、画像メモリー４９に記憶されている原稿画像（上記Ｓ１１３〜Ｓ１１８の処理により原稿画像に対する印刷設定がされている場合は、当該印刷設定に基づく画像処理後の原稿画像）を記録紙上に画像形成させる（Ｓ１２０）。
【００７０】
なお、Ｓ１１４において、制御部５１が、内容を変更する印刷項目を指定する指示を受け付けることなく（Ｓ１１４でＮＯ）、制御部５１が、画像形成（印刷）開始指示を受け付けた場合には（Ｓ１１９でＹＥＳ）、制御部５１は、画像形成部１２に、画像メモリー４９に記憶されている原稿画像（上記Ｓ１１３〜Ｓ１１８で設定された印刷設定に基づく画像処理がされていない原稿画像）を記録紙上に画像形成させる（Ｓ１２０）。
【００７１】
また、上記図１４に示したように、分類部５５が、上記頁単位、テキスト領域のみを含む原稿画像単位、画像領域のみを含む原稿画像単位、及び、テキスト領域と画像領域の両方を含む原稿画像単位の全てを抽出して、制御部５１により、これら全てがリストＬＳＴ５としてコピー設定画面Ｇ１のリスト表示欄７２に表示されている場合、印刷設定受付部５６は、(i)頁単位についての印刷設定と、(ii)前記テキスト領域のみを含む原稿画像単位、画像領域のみを含む原稿画像単位、又は、テキスト領域及び画像領域の両方を含む原稿画像単位のいずれかについての印刷設定とについて、(i)又は(ii)のいずれかのみを選択的に受け付ける。これにより、各単位に属するそれぞれの原稿画像に対して、矛盾する印刷設定が受け付けられることを回避する。
【００７２】
このように、上記実施形態によれば、ユーザーは、簡単な操作で、テキスト領域が含まれる原稿画像と、画像領域が含まれる原稿画像とについてそれぞれ別個に、異なる印刷設定を設定することができる。
【００７３】
また、図１乃至図１４を用いて説明した構成及び処理は、本発明の一実施形態に過ぎず、本発明を当該構成及び処理に限定する趣旨ではない。
【符号の説明】
【００７４】
１０        画像形成装置
１１        画像読取部
１２        画像形成部
４２        表示部
４４        操作部
４５        タッチパネル
４８        記憶部
４９        画像メモリー
５０        制御ユニット
５１        制御部
５４        画像処理部
５５        分類部
５６        印刷設定受付部
【図１】
2019022068.tif 000003
【図２】
2019022068.tif 000004
【図３】
2019022068.tif 000005
【図４】
2019022068.tif 000006
【図５Ａ】
2019022068.tif 000007
【図５Ｂ】
2019022068.tif 000008
【図６】
2019022068.tif 000009
【図７】
2019022068.tif 000010
【図８】
2019022068.tif 000011
【図９】
2019022068.tif 000012
【図１０】
2019022068.tif 000013
【図１１】
2019022068.tif 000014
【図１２】
2019022068.tif 000015
【図１３】
2019022068.tif 000016
【図１４】
2019022068.tif 000017